(57)【特許請求の範囲】
【請求項１】
複数の画像を記憶する記憶手段と、
前記記憶手段に記憶されている画像を表示する表示手段と、
撮像手段と、
前記撮像手段で撮像した画像から顔を認識する顔認識手段と、
前記表示手段に画像を表示しているときに前記顔認識手段により認識された顔と当該表示画像を対応付けることにより画像とその画像を見た人を対応付ける対応手段と、
前記記憶手段に記憶されている画像を表示手段に表示していくスライドショー手段と、
前記スライドショー手段が画像を表示する際に、前記顔認識手段により認識された顔が当該画像に対応付けられているか否かを判断する第１の判断手段と、
前記第１の判断手段の判断結果に基づき、前記顔が対応付けされていない画像を選択して、前記スライドショー手段によりスライドショー表示をさせる表示制御手段と
を備えることを特徴とする画像表示装置。
【請求項２】
前記記憶手段は、
複数の画像を種別ごとに記憶するフォルダと、
前記フォルダ内に記憶された画像を更に複数の種別に分類する分類手段とを有し、
前記第１の判断手段は、前記認識された顔がいずれかのフォルダに記憶されている当該画像に対応付けられているか否かを判断することを特徴とする請求項１記載の画像表示装置。
【請求項３】
前記分類手段は、当該画像の表示を制限することを示すシークレットフラグを設定するシークレット手段を含むことを特徴とする請求項２記載の画像表示装置。
【請求項４】
前記スライドショー手段により画像を表示している状態において、当該画像が前記シークレット手段により前記シークレットフラグが設定されている画像であるか否かを判断する第２の判断手段を備え、
前記表示制御手段段は、前記第２の判断手段により前記シークレットフラグが設定されていると判断された場合、当該画像の表示を停止させるか、別の画像を読み出して表示させることを特徴とする請求項３記載の画像表示装置。
【請求項５】
前記表示制御手段は、前記記憶手段に記憶されている画像を異なる画調の画調変換画像に変換して表示する手段を備えることを特徴とする請求項１記載の画像表示装置。
【請求項６】
前記表示制御手段は、前記画調変換画像を前記判断手段の対応結果にかかわらず、スライドショー表示させることを特徴とする請求項５記載の画像表示装置。
【請求項７】
複数の画像を記憶する記憶手段と、前記記憶手段に記憶されている画像を表示する表示手段と、撮像手段とを備える装置によりスライドショー表示を行う画像再生方法において、
前記撮像手段で撮像した画像から顔を認識する顔認識ステップと、
前記表示手段に画像を表示しているときに前記顔認識ステップで認識された顔と当該表示画像を対応付けることにより画像とその画像を見た人を対応付ける対応ステップと、
前記記憶手段に記憶されている画像を表示手段に表示していくスライドショーステップと、
前記スライドショーステップで画像を表示する際に、前記顔認識ステップにより認識された顔が当該画像に対応付けられているか否かを判断する判断ステップと、
前記判断ステップでの判断結果に基づき、前記顔が対応付けされていない画像を選択して、前記スライドショーステップによりスライドショー表示をさせる表示制御ステップと
を含むことを特徴とする画像再生方法。
【請求項８】
複数の画像を記憶する記憶手段と、前記記憶手段に記憶されている画像を表示する表示手段と、撮像手段とを備える装置が有するコンピュータを、
前記撮像手段で撮像した画像から顔を認識する顔認識手段と、
前記表示手段に画像を表示しているときに前記顔認識手段により認識された顔と当該表示画像を対応付けることにより画像とその画像を見た人を対応付ける対応手段と、
前記記憶手段に記憶されている画像を表示手段に表示していくスライドショー手段と、
前記スライドショー手段が画像を表示する際に、前記顔認識手段により認識された顔が当該画像に対応付けられているか否かを判断する判断手段と、
前記判断手段の判断結果に基づき、前記顔が対応付けされていない画像を選択して、前記スライドショー手段によりスライドショー表示をさせる表示制御手段と
して機能させることを特徴とする前記コンピュータにより読み取り実行可能なプログラム。
【発明の詳細な説明】
【技術分野】
【０００１】
本発明は、画像表示装置、画像再生方法並びにプログラムに関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方がでるようにするため、いわゆるデジタルフォトフレームが実現され普及している。このようなデジタルフォトフレームでは、撮影した写真を再生して好きなときに鑑賞したり、スライドショー表示したり、画像データを保存するアルバム端末として使用することができる。
【０００４】
そして、ネットワークに接続し、メールの送受信も可能なデジタルフォトフレームも提案されている。（例えば、特許文献１）。
【０００５】
また、複数人に閲覧可能とし、複数の閲覧者の情報を登録しておき、閲覧する人に応じて表示のさせ方等を変えるものも提案されている。（例えば、特許文献２）。
【０００６】
また、画像処理を加えることで、例えば、元の写真をベースとしつつも趣の異なる画調の画像（例えば絵画調など）を生成して表示することができるようにしたものも考案されている（例えば、特許文献３）。
【０００７】
更に、複数の画像を順次切り替え表示する場合、表示に適さない画像が不用意に表示されてしまうことを効果的に防止できるようにしたものも考案されている。（例えば、特許文献４）。
【先行技術文献】
【特許文献】
【０００８】
【特許文献１】特開２０１０−６１２４６号公報
【特許文献２】特開２０１０−８６９１４号公報
【特許文献３】特開平８−４４８６７号公報
【特許文献４】特開２００９−２８８５０７号公報
【発明の概要】
【発明が解決しようとする課題】
【０００９】
上記したようなデジタルフォトフレームでは、スライドショー機能によって自動的に複数の画像を切り替えながら表示し続けることができるが、同じ画像が繰り返し表示されるため、飽きてくるという課題があった。
【００１０】
また、複数の人が鑑賞する場合は、同じ画像でも見たことがある人と見たことがない人が混在している場合があり、そういう場合に対応できないという課題があった。
【００１１】
また、自分が鑑賞中に、他人が入ってきたとき、見られては困る画像が表示されていたとき、対応できないという課題があった。特許文献４に記載された技術では、表示に適さない画像が不用意に表示されてしまうことを防止できるが、この技術は画像の内容により表示を禁止しており、誰が見たかを判断することはできなかった。
【００１２】
本発明は、上記のような事情に鑑みなされたもので、複数の人が鑑賞する場合に自動的に対応できる画像表示装置、画像再生方法並びにプログラムを提供することを目的とする。
【課題を解決するための手段】
【００１３】
前記課題を解決するために、請求項１記載の発明は、複数の画像を記憶する記憶手段と、前記記憶手段に記憶されている画像を表示する表示手段と、撮像手段と、前記撮像手段で撮像した画像から顔を認識する顔認識手段と、前記表示手段に画像を表示しているときに前記顔認識手段により認識された顔と当該表示画像を対応付けることにより画像とその画像を見た人を対応付ける対応手段と、前記記憶手段に記憶されている画像を表示手段に表示していくスライドショー手段と、前記スライドショー手段が画像を表示する際に、前記顔認識手段により認識された顔が当該画像に対応付けられているか否かを判断する第１の判断手段と、前記第１の判断手段の判断結果に基づき、前記顔が対応付けされていない画像を選択して、前記スライドショー手段によりスライドショー表示をさせる表示制御手段とを備えることを特徴とする画像表示装置を提供するものである。
【００１４】
前記課題を解決するために、請求項２記載の発明は、前記記憶手段は、複数の画像を種別ごとに記憶するフォルダと、前記フォルダ内に記憶された画像を更に複数の種別に分類する分類手段とを有し、前記第１の判断手段は、前記認識された顔がいずれかのフォルダに記憶されている当該画像に対応付けられているか否かを判断することを特徴とする請求項１記載の画像表示装置を提供するものである。
【００１５】
前記課題を解決するために、請求項３記載の発明は、前記分類手段は、当該画像の表示を制限することを示すシークレットフラグを設定するシークレット手段を含むことを特徴とする請求項２記載の画像表示装置を提供するものである。
【００１６】
前記課題を解決するために、請求項４記載の発明は、前記スライドショー手段により画像を表示している状態において、当該画像が前記シークレット手段により前記シークレットフラグが設定されている画像であるか否かを判断する第２の判断手段を備え、前記表示制御手段段は、前記第２の判断手段により前記シークレットフラグが設定されていると判断された場合、当該画像の表示を停止させるか、別の画像を読み出して表示させることを特徴とする請求項３記載の画像表示装置を提供するものである。
【００１７】
前記課題を解決するために、請求項５記載の発明は、前記表示制御手段は、前記記憶手段に記憶されている画像を異なる画調の画調変換画像に変換して表示する手段を備えることを特徴とする請求項１記載の画像表示装置を提供するものである。
【００１８】
前記課題を解決するために、請求項６記載の発明は、前記表示制御手段は、前記画調変換画像を前記判断手段の対応結果にかかわらず、スライドショー表示させることを特徴とする請求項５記載の画像表示装置を提供するものである。
【００１９】
前記課題を解決するために、請求項７記載の発明は、複数の画像を記憶する記憶手段と、前記記憶手段に記憶されている画像を表示する表示手段と、撮像手段とを備える装置によりスライドショー表示を行う画像再生方法において、  前記撮像手段で撮像した画像から顔を認識する顔認識ステップと、前記表示手段に画像を表示しているときに前記顔認識ステップで認識された顔と当該表示画像を対応付けることにより画像とその画像を見た人を対応付ける対応ステップと、前記記憶手段に記憶されている画像を表示手段に表示していくスライドショーステップと、前記スライドショーステップで画像を表示する際に、前記顔認識ステップにより認識された顔が当該画像に対応付けられているか否かを判断する判断ステップと、前記判断ステップでの判断結果に基づき、前記顔が対応付けされていない画像を選択して、前記スライドショーステップによりスライドショー表示をさせる表示制御ステップとを含むことを特徴とする画像再生方法を提供するものである。
【００２０】
前記課題を解決するために、請求項８記載の発明は、複数の画像を記憶する記憶手段と、前記記憶手段に記憶されている画像を表示する表示手段と、撮像手段とを備える装置が有するコンピュータを、前記撮像手段で撮像した画像から顔を認識する顔認識手段と、前記表示手段に画像を表示しているときに前記顔認識手段により認識された顔と当該表示画像を対応付けることにより画像とその画像を見た人を対応付ける対応手段と、前記記憶手段に記憶されている画像を表示手段に表示していくスライドショー手段と、前記スライドショー手段が画像を表示する際に、前記顔認識手段により認識された顔が当該画像に対応付けられているか否かを判断する判断手段と、前記判断手段の判断結果に基づき、前記顔が対応付けされていない画像を選択して、前記スライドショー手段によりスライドショー表示をさせる表示制御手段として機能させることを特徴とする前記コンピュータにより読み取り実行可能なプログラムを提供するものである。
【発明の効果】
【００３１】
本発明によれば、見る人によって自動的に適切な画像を再生することができる。
【００３２】
また、請求項１１記載の発明では、シークレット機能により他人を認識したときは自動的に表示が消えるので、人に見せたくない写真でも安心して再生することができる。
【図面の簡単な説明】
【００３３】
【図１】本発明の実施形態に係る画像表示装置の外観を示す図である。
【図２】本発明の実施形態に係る画像表示装置の回路構成を示すブロック図である。
【図３】本発明の実施の形態に係る画像表示装置の画像ファイル構成を示す図である。
【図４】本発明の実施の形態に係る画像表示装置のフォルダ構成を示す図である。
【図５】本発明の実施の形態に係る画像表示装置のアドレス帳の構成を示す図である。
【図６】本発明の実施の形態に係る初期設定の処理手順を示すフローチャートである。
【図７】本発明の実施の形態に係る画像保存の処理手順を示すフローチャートである。
【図８】本発明の実施の形態に係る画像メール受信の処理手順を示すフローチャートである。
【図９】本発明の実施の形態に係る画像再生の処理手順を示すフローチャートである。
【図１０】本発明の実施の形態に係るスライドショー表示の処理手順を示すフローチャートである。
【図１１】本発明の第２の実施の形態に係る画像表示装置のフォルダ構成を示す図である。
【発明を実施するための形態】
【００３４】
以下、本発明の実施形態について説明する。図１は、本発明を適用した画像表示装置１を示す外観図である。
【００３５】
画像表示装置１の正面には、本体２に保持された液晶表示パネル３によって構成される表示部が設けられている。この液晶表示パネル３にはタッチパネル５が一体的に構成されており、指でタッチすることにより操作可能となっている。本体２の前面上部左側には撮像素子４が設けられ、側面にはメモリカードスロット６が設けられている。更に、本体上部にＧＰＳアンテナ７，全面上部右側に人感センサ８が設けられている。
【００３６】
図２は、画像表示装置１の電気的構成を示したブロック図である。画像表示装置１は、ＣＰＵ（Ｃｅｎｔｒａｌ  Ｐｒｏｃｅｓｓｉｎｇ  Ｕｎｉｔ）１１と、ＣＰＵ１１に接続されたＲＯＭ（Ｒｅａｄ  Ｏｎｌｙ  Ｍｅｍｏｒｙ）１２、ＲＡＭ（Ｒａｎｄｏｍ  Ａｃｃｅｓｓ  ｍｅｍｏｒｙ）１３、内部メモリ１４を備え、ＲＯＭ１２には、ＣＰＵ１１に後述するフローチャートに示す動作を行わせるためのプログラムが記憶されている。
【００３７】
また、ＣＰＵ１１は、前記撮像素子８で撮像した顔を認識処理するための顔認識エンジン１００と、写真画像を絵画調の画像に変換する絵画変換エンジン２００を含んでいる。顔認識エンジン１００は、撮像素子８で撮像した画像の中に複数の顔が写っている場合、それぞれの顔を認識する能力を備えている。
【００３８】
絵画変換エンジン２００による絵画変換処理は、メモリカード６０に記憶されている表示対象の画像を、絵画が有する特徴を備えた絵画調画像、つまり特定の効果を与えた絵画調画像に変換し、変換後の絵画調画像を液晶表示パネル３に表示する処理である。
【００３９】
また、絵画調画像への変換に際して目標とする絵画の種類、つまり変換画調画像にする特徴（画調）が選択可能である。本実施の形態において、選択可能な画調は油絵調、水彩画調、パステル画調、鉛筆画調、クレヨン画調、イラスト画調、点描画調、エアブラシ画調とする。しかし、これに限ることなく、ゴッホ調、モネ調、ピカソ調など、画家の特徴を加味した変換の選択を可能としても良い。また、別の画調のアルゴリズムを後述するメモリカード６０で提供するようにすることもできる。
【００４０】
なお、本実施の形態においては、油絵調からエアブラシ画調までの８種類の画調に変換するプログラムが記憶されているが、その優先順序は、（１）油絵調、（２）水彩画調、（３）パステル画調、（４）鉛筆画調、（５）クレヨン画調、（６）イラスト画調、（７）点描画調、（８）エアブラシ画調とする。
【００４１】
ＲＡＭ１３は、ＣＰＵ１１が必要に応じて種々のデータを一時的に記憶する作業用のメモリである。
【００４２】
内部メモリ１４は、ハードディスクまたはフラッシュメモリによる大容量不揮発性メモリであり、後述するフォルダが形成されて多数の画像を保存可能となっている。
【００４３】
表示制御部１６は、ＣＰＵ１１から供給される表示用の画像データに基づいて液晶表示パネル３を駆動することにより、画像や各種メニューを液晶表示パネル３に表示させる。
【００４４】
キー入力部制御部１７はＣＰＵ１１の制御に基づいてタッチパネル５の操作信号を入力するものである。
【００４５】
メモリカードインターフェース１８は、メモリカードスロット６に着脱自在に装着された各種のメモリカード６０と、ＣＰＵ１１との間におけるデータの入出力を制御する入出力インターフェースである。
【００４６】
撮像制御部１９は、撮像素子８を駆動して被写体の画像を取り込む制御を行う。ベイヤーデータで取り込まれた画像データはＹＵＶ及びＲＧＢデータに変換後、ＪＰＥＧデータに圧縮して内部メモリ１４またはメモリカード６０に記録される。
【００４７】
ＧＰＳ制御部２０は、ＧＰＳアンテナ７で受信した情報を元に位置情報を取得する。これにより、画像表示装置１の現在位置を知ることができる。
【００４８】
人感センサ８はＣＰＵ１１に接続され、近くに人がいるかどうかを検知するものである。従って、近くに人がいない状態が所定時間以上続くと自動的に電源を切って節電をはかる（オートパワーオフ）。
【００４９】
通信制御部３０は、電話回線３１若しくは無線ＬＡＮ３２を経由してメールの送受信を含む通信制御を行う。
【００５０】
３３はメール送受信に使用するアドレス帳である。実際は内部メモリ１４内に設けられる。
【００５１】
４０はネットワークを介して接続されるバックアップサーバーであり、自動的に若しくは手動指示により内部メモリ１４に記録されたデータのバックアップを行う。
５０は配信コンテンツサーバーであり、多数のコンテンツや画像を有しており、ネットワークを介して画像表示装置１へデータを配信することができる。
７０はパーソナルコンピュータであり、無線ＬＡＮ３２等で通信制御部３０を介して画像表示装置１と接続でき、画像表示装置１では設定できない複雑な設定等をすることができる。
【００５２】
８０は電源制御部で、電源プラグ３１を介してＡＣ電源を取り入れ、直流に変換して各部に電力を供給する。前述したオートパワーオフの制御も行う。
【００５３】
図３は、メモリカード６０に記憶されている画像ファイルの構造を示す構成図である。各画像ファイルは、ＥＸＩＦ（Ｅｘｃｈａｎｇｅａｂｌｅ  Ｉｍａｇｅ  Ｆｉｌｅ  Ｆｏｒｍａｔ）などのデータを有するヘッダＧ１と、撮影された画像であり本画像である画像データＧ２と、その画像データＧ２の縮小画像であるサムネイルＧ３の画像データを含む。なお、表示画面の大きさにより画面に表示すべき縮小画像の大きさが異なるため、サムネイルとは別に表示用のプレビュー画像を作成して記憶しておく場合もある。本実施の形態では、プレビュー画像も含めてサムネイルと表現している。
【００５４】
つまり、画像ファイルは、一般的なデジタルカメラのファイルフォーマットに準拠し、デジタルカメラで撮像したＳＤカード（メモリカード６０）をメモリカードスロット６に差し込むだけで使用できるようになっている。画像ファイルのフォーマットとしては、ＪＰＥＧ、ＧＩＦ、ＡＶＩなど種々のフォーマットに適宜対応可能である。
【００５５】
以下は本実施の態様特有のデータである。まずＧ４は、顔認識により、誰が画像の保存操作を行った画像かを示す個人識別コードである。例えばお父さんであれば”１００１”、お母さんであれば”１００２”のように個人別に識別コードが割り振られる。Ｇ５は、更に仕事用、プライベート用などに分類した分類コードである。例えば仕事用であれば”０１”、プライベート用であれば”０２”、旅行用であれば”０３”の分類コードが記録される。この分類は自分の画像について自由に分類分けを行うことができる。
【００５６】
Ｇ６はその画像をシークレット設定するかどうかを示すシークレットフラグであり、シークレット設定は”１”、そうでない場合は”０”とする。Ｇ７は閲覧者コードであり、画像を表示している際に撮像素子８で撮像した閲覧者を顔認識して既に登録されている人であれば誰であるかを判別し、登録されていない新規な人であれば新たに閲覧者コードを発行して記録していく。
【００５７】
Ｇ８は前記閲覧者別の閲覧回数を記憶する。Ｇ７とＧ８は便宜上別々に示しているが、閲覧者コードと閲覧回数をセットで記憶していくものである。すなわち、この画像をＡさんが２回見ていれば、Ａさんの閲覧者コード”１１０１”＊２、Ｂさんが３回見ていれば、Ｂさんの閲覧者コード”１０５２”＊３、ということになる。
【００５８】
図４は、内部メモリ１４内のフォルダ構成を示す図である。本実施の態様では、画像認識により識別された個人ごとのフォルダが作成される。図３に１つの画像ファイルの構成を示したが、基本的にはこの画像ファイルの個人識別コードＧ７ごとにファイルを形成する。例えばお父さんの識別コード”１００１”に対応するフォルダＦ１、お母さんの識別コード”１００２”に対応するフォルダＦ２、・・・のようになる。また、個人のフォルダ内に、画像ファイルの分類コードＧ５に応じて、あるいはシークレットフラグをつけたものについてサブフォルダＳＦを形成する。例えば仕事用サブフォルダＳＦ１、プライベート用サブフォルダＳＦ２、シークレットフラグを立てたサブフォルダＳＦ３、メールで受信した画像用のサブフォルダＳＦ４が形成される。なおこれらのフォルダ形状は論理フォルダであって物理的にメモリエリアが区分けされているわけではない。
【００５９】
図５は内蔵メモリ１４内に構成されるアドレス帳３３の構成を示す図である。３３１はプロファイルと呼ばれる保有者のメールアドレス情報を記憶するエリアであり、３３２は送受信する相手先のメールアドレス情報を記憶するエリアである。
Ｍ２はメールアドレスそのものが記録されるエリアであり、Ｍ１は該当メールアドレスの保有者の名前が記録されるエリアである。名前は自由に付けることができる。Ｍ３は該当メールアドレスの個人の顔画像を登録するエリアである。Ｍ４は上述した個人識別コードが記録されるエリアである。Ｍ５はその他の各種情報、例えば住所、着信拒否、・・・が必要に応じて適宜記録されるエリアである。
【００６０】
以下、本実施の形態の画像表示装置１の具体的な動作についてフローチャートを参照しながら説明する。説明を分かりやすくするためにフローチャートは操作者の操作手順に沿った表現となっているが、これに伴って回路やデータの動きについて説明をしていく。
【００６１】
図６は画像表示装置１の初期設定の際に、自分の顔と自分のメールアドレスとを対応づけて登録するための手順を示す。まず、自分のメールアドレスを設定する（ステップＳ１）。これは基本的にはパーソナルコンピュータや携帯端末などのアドレス初期設定と同様である。画像表示装置１をネット環境に接続することにより、サーバー５０と接続し、本体固有のアドレスを取得する。取得したアドレスは、無線ＬＡＮ３２等で接続されたパーソナルコンピュータ７０からの操作により任意のアドレスに変更できる。
【００６２】
撮像素子８は電源オン中、ほぼ常時撮像をしているが、操作者が自分のアドレスが液晶表示パネル３に表示されている状態で（ステップＳ２）、液晶表示パネル３に表示される顔登録ボタンをタッチパネル５でタッチすると（ステップＳ３）、ＣＰＵ１１は顔認識エンジン１００により操作者の顔を認識し、操作者の顔がアドレス帳３３に登録される（ステップＳ４）。
【００６３】
図７はＳＤカードなどのメモリカード６０をメモリカードスロット６に差し込んでメモリカード６０に記憶されている画像を画像表示装置１の内部メモリ１４に画像を保存する際の手順を示す。まず、メモリカード６０をメモリカードスロット６に挿入する（ステップＳ１１）。そのとき撮像素子８は操作者を撮影しているので、ＣＰＵ１１は顔認識エンジン１００を用いて顔認識を行う（ステップＳ１２）。
【００６４】
ステップＳ１３では、顔認識した結果、個人識別コードが登録されているかどうかを判断する。すなわち、図４に示したように、個人識別コードに対応してフォルダが構成されているので、認識した人のフォルダが存在しているかどうかを判断することになる。例えば操作している人が識別コード”１００１”のお父さんであれば、フォルダＦ１を選択し（ステップＳ１４）、存在していない新しい人であれば、新たに識別コードを発行し、顔を登録し、フォルダを作成する（ステップＳ１５）。登録されていない人の画像保存はできないようにしてもよい。
【００６５】
ここで液晶表示パネル３に表示されている保存ボタンをタッチキー５を介して押すと（ステップＳ１６）、メモリカード６０に記録されている画像が該当するフォルダにコピーされる。
すなわち、操作者は特に意識することなく、自分のフォルダに画像を保存することができる。その後、適宜メニューに従ってフォルダ内での分類によるサブフォルダ作成やシークレットフラグの設定を行うことができる。
【００６６】
図８はメールを受信したときの手順を示す。画像表示装置１に自己のメールアドレスが設定されていなければそもそもメールを受信できないが、設定されている場合は、例えばお父さんのメールアドレス（ｆａｔｈｅｒ＠＊＊＊．＊＊．ｊｐ）で受信したとすると（ステップＳ２１）、受信したメールアドレスに対応するフォルダが存在しているかを判断する（ステップＳ２１）。お父さんのメールアドレスに対応するフォルダＦ１が存在しているので、ステップＳ２３へ進んでフォルダＦ１にメールが保存されるとともに、画像が添付されている場合にはその画像を画像メール用サブフォルダＳＦ４に保存する。また、ステップＳ２２にて対応するフォルダが存在しないと判断された場合は、共有フォルダＦ６に保存する（ステップＳ２４）。
【００６７】
図９は再生動作について説明するものである。再生には、内部メモリ１４に記憶された画像を再生する場合、挿入されたメモリカード６０に記憶された画像を再生する場合、１枚だけ再生する場合、スライドショー再生をする場合などがある。
【００６８】
操作者が画像を再生しようとして画像表示装置１の前に来ると、撮像素子８が撮像しているので、ＣＰＵ１１と顔認識エンジン１００が協働して操作者の顔を認識し（ステップＳ３１）、再生操作に入ったとき（ステップＳ３２）、認識した顔の人が登録されているかどうかを判断する（ステップＳ３３）。顔が登録されていれば、画像表示装置の保有者であると推定できるので、ステップＳ３４に進み、対応するフォルダ、例えば認識されたのがお父さんであれば、お父さんフォルダＦ１に保存されている画像と共用フォルダＦ６に保存されている画像再生可能にする。他の人のフォルダ、例えばお母さんフォルダＦ２、妹フォルダＦ４などは勝手に再生できない。そしてステップＳ３６へ進み、所定の再生操作を行う。
【００６９】
ただし、顔認識エンジン１００は画像に写っている複数の人の顔を認識可能なので、お父さんと一緒にお母さんも写っていれば、お母さんフォルダＦ２の内容も再生可能となる。
なお、複数の人の顔が認識され、登録されている人とされていない人が混在している場合の制御については後述する。
【００７０】
図１０は再生動作の中のスライドショー再生の手順を示す図である。図９のステップＳ３１に相当する再生操作を行ったとき（ステップＳ４１）、それがスライドショー再生かどうかを判断する（ステップＳ４２）。もしスライドショー再生でなければ他の処理へ進み、スライドショー再生であればステップＳ４３へ進む。
【００７１】
ステップＳ４３では、まず１枚目の画像を読み出す。スライドショー再生としては、特定フォルダ内再生、古い順再生または新しい順再生、ランダム再生などがある。続くステップＳ４３では、現在見ている人の顔認識を行う。そしてステップＳ４５で認識された顔が前に閲覧した人の顔かどうかを判断する。図３に示すように、画像ごとに閲覧者コードＧ７が用意されており、一度閲覧すると閲覧者コードＧ７と閲覧回数Ｇ８が組になって登録されている。そこで、ステップＳ４５では、この画像は今の閲覧者が前に見たことがあると判断すると、ステップＳ４６へ進んでその画像はスキップする。見たことがない画像であれば、ステップＳ４７でその画像の表示を行うとともに、ステップＳ４８で閲覧者コードを発行し、顔画像の登録と閲覧回数の加算を行う。
【００７２】
次に、ステップＳ４９でインタラプトが無いかどうか判断する。すなわち、画像を表示中に、現在見ている人が変わった場合、あるいは新たな人が加わった場合の処理である。本実施の形態では、表示する画像を選択する前に顔認識を行っているが、スライドショーは数秒間同じ画像を表示し続けているので、当然その間に人がいなくなったり増えたり変更したりすることが考えられる。
【００７３】
ここでは、表示中の画像が特定の人、あるいは所有者以外には見られては相応しくない場合の対策を想定する。例えば家族以外の人の顔を検出したとき、ステップＳ５０へ進み、表示を停止させるか、別の画像を読み出して差し替える。差し替え用の特定の画像を用意しておいても良い。このインタラプト処理は便宜上、フローチャートのこの位置に表現したが、インタラプト信号によりいつでも受け付けるようにすることもできる。
また、シークレットフラグを立てたサブフォルダＳＦ３から読み出された画像を表示中に、その保有者以外の新たな人が加わった場合も、ステップＳ５０へ進み、表示を停止させるか、別の画像を読み出して差し替える。
【００７４】
そしてステップＳ５１で終了指示がなければステップＳ４３に戻って次の画像を読み出す。
【００７５】
すなわち、本実施の形態においては、スライドショーを表示する際、長時間になると同じ画像の繰り返しとなってくるので、見飽きてくる可能性があり、閲覧者を顔認識することによってまだ見ていない画像を表示するようにしている。
【００７６】
なお、フローチャートには詳細まで記載していないが、閲覧者が複数の場合は、誰も見ていない画像＞見たことがない人が混じっている＞全員が見たことがある、の順で優先順位付けを行う。つまり、誰も見ていない画像を第１優先、見たことがない人が混じっている画像を第２優先、全員が見たことがある画像を第３優先として類別する。
【００７７】
そして、先ず第１優先に属する画像をスライドショー表示し、第１優先に属する画像を全て表示し終えたならば、第２優先に属する画像をスライドショー表示する。第２優先に属する画像を全て表示し終えたならば、第３優先に属する画像をスライドショー表示し、第３優先に属する画像を全て表示し終えたならば、第１優先に属する画像からのスライドショー表示を再度実行する。
【００７８】
無論、上記は、ある瞬間における閲覧者の数、または構成員が変化しない状態での動作であり、閲覧者の数、または構成員が変化する都度、新たに前記第１、第２、第３優先の類別は変化することとなる。
【００７９】
更に、シークレットフラグがついている画像は最初から表示対象としない。顔認識によりその画像の保有者本人であると認識されたときのみ表示しても良く、その際は前述のようにステップＳ４９により他人の顔が検出された瞬間、ステップＳ５０で表示停止とする。
【００８０】
なお、図９及び図１０に示したフローチャートにより表示される画像は、画調変換されていない画像に関するものであり、画調変換された画像に関しては、何らの制限もなくスライド表示可能である。この場合、例えば画調変換した画像をスライドショーモードが設定されたことを条件として、特定のフォルダ内の画像を画調変換して表示、古い順または新しい順で画像を画調変換して表示、ランダムに画像を画調変換して表示するのいずれであってもよい。
【００８１】
第２の実施の形態
図１１は第２の実施の形態を示すものである。第１の実施の形態においては、図４に示すように、個人識別コードによる保有者別のフォルダを形成した。これに対し、本実施の形態では、複数のメモリカードを丸ごと内部メモリ１４に保存する例を示す。
【００８２】
現在、カメラのＳＤカードや携帯電話のミニＳＤカード、マイクロＳＤカード等を何枚もそのまま保管していて、どれがどれだか分からなくなってしまうケースも多い。複数のカメラで複数のＳＤカードを使用した場合も、どのＳＤカードをどのカメラでいつ撮影して何が記録されているかがわからなくなってしまうケースもある。
【００８３】
そこで、図７のフローで示したと同様、何も考えないでメモリカード６０を画像表示装置１に差し込むだけで、例えばＡ社のＳＤカード（１）Ｆ１１、Ａ社のＳＤカード（２）Ｆ１２，Ｂ社のＳＤカード（１）Ｆ１３、携帯電話のマイクロＳＤカードＦ１４、・・・のようにフォルダ分けされる。Ａ社、Ｂ社と言っているのはカメラ又は携帯のメーカー名である。もちろん、顔認識により個人識別コードをつけて、保有者は明確になっている。すなわち、ＳＤカード（１）を挿入したのがお父さんであれば、フォルダＦ１１の保有者はお父さんである。
【００８４】
つまり、第１の実施の形態と同様、何も考えずにメモリカード６０を画像表示装置１に挿入して画像を保存していけば、カード別のフォルダが自動的にできるので、家庭用アルバム端末として好適である。
【００８５】
なお、図１１において下段のフォルダは、画像を何らかの形で加工したものが記憶される。例えばＦ１５は絵画変換した画像、Ｆ１６はシークレットフラグを設定した画像、Ｆ１７は修正加工を行った画像、そしてＦ１８お気に入り画像のフォルダが形成される。
【００８６】
この実施の形態においても、顔認識によって誰が挿入したメモリカードかが分かるので、図４における個人別フォルダの中にこれらのフォルダをサブフォルダとして設けても良い。
【符号の説明】
【００８７】
１    画像表示装置
２    本体
３    液晶表示パネル
４    撮像素子
５    タッチパネル
６    メモリカードスロット
７      ＧＰＳアンテナ
８    人感センサ
１１    ＣＰＵ
１２    ＲＯＭ
１３    ＲＡＭ
１４    内部メモリ
１６    表示制御部
１７    キー入力制御部
１８    メモリカードインターフェース
１９    撮像制御部
２０    ＧＰＳ制御部
３０    通信制御部
３３    アドレス帳
４０    バックアップサーバー
５０    配信コンテンツサーバー
６０    メモリカード
１００  顔認識エンジン
２００  絵画変換エンジン
【図１】
0005195834.tif 000002
【図２】
0005195834.tif 000003
【図３】
0005195834.tif 000004
【図４】
0005195834.tif 000005
【図５】
0005195834.tif 000006
【図６】
0005195834.tif 000007
【図７】
0005195834.tif 000008
【図８】
0005195834.tif 000009
【図９】
0005195834.tif 000010
【図１０】
0005195834.tif 000011
【図１１】
0005195834.tif 000012